(57)【要約】【課題】照明制御システムにおいて、専門知識のない一般ユーザであっても、照明光の調光レベルや色温度を、簡易に直感的に設定することができるようにする。【解決手段】照明制御システム１は、識別情報が付された照明器具２と、照明器具２の調光レベル及び照射光の色温度に関する点灯条件を設定するコントローラ３と、を備る。コントローラ３は、照明器具２の点灯条件を含む制御信号を無線通信により出力する無線通信部３１と、照明器具２の識別情報と静止画とを関連付けて記憶する記憶部３３と、照明器具２の静止画を表示する表示部３５と、静止画上をユーザが指定するためのタッチパネル部３６と、照明器具２の静止画を撮像するための画像取得部３８と、を備える。無線通信部３１は、静止画上のタッチパネル部３６がタッチ操作されたとき、その操作パターンに基づいて静止画と関連付けられた照明器具２の点灯条件を設定するための制御信号を出力する。【選択図】図２
2014044916.tif 000002
【特許請求の範囲】
【請求項１】
識別情報が付された照明器具と、前記照明器具の調光レベル及び照射光の色温度に関する点灯条件を設定するためのコントローラと、を備えた照明制御システムであって、
前記コントローラは、前記照明器具の点灯条件を含む制御信号を無線通信により前記照明器具に向けて出力する無線通信部と、前記照明器具の識別情報と該照明器具の画像とを関連付けて記憶する記憶部と、前記照明器具の画像を表示する表示部と、前記表示部に表示される画像上をユーザが指定するためのタッチパネル部と、前記照明器具の画像を撮像するための画像取得部と、を備え、
前記無線通信部は、前記表示部に前記照明器具の画像が表示され、該画像上の前記タッチパネル部がタッチ操作されたとき、その操作パターンに基づいて前記画像と関連付けられた前記照明器具の点灯条件を設定するための制御信号を出力することを特徴とする照明制御システム。
【請求項２】
前記操作パターンが、前記タッチパネル部上にタッチされた１点が円を描くとき又は前記タッチパネル部上にタッチされた２点が近接若しくは離間するとき、
前記無線通信部は、前記照明器具の調光レベル又は照射光の色温度を増減させるための制御信号を出力することを特徴とする請求項１に記載の照明制御システム。
【請求項３】
前記照明器具を点灯制御するための調光信号を出力する調光装置を更に備え、
前記調光装置は、前記コントローラの無線通信部から出力された前記制御信号を受信して、該制御信号に従って前記調光信号を出力することを特徴とする請求項１又は請求項２に記載の照明制御システム。
【請求項４】
前記照明器具は、光源からの照射光を変調して該照射光に該照明器具の識別情報を重畳する変調部を更に備え、
前記コントローラは、前記画像取得部が前記照射光を受信したとき、該照射光に重畳された前記識別情報を読み取ることを特徴とする請求項１乃至請求項３のいずれか一項に記載の照明制御システム。
【請求項５】
前記照明器具は、前記コントローラの無線通信部から出力された前記制御信号を受信する無線通信部を更に備えることを特徴とする請求項１又は請求項２に記載の照明制御システム。
【発明の詳細な説明】
【技術分野】
【０００１】
本発明は、照明器具の調光レベルや色温度を制御する照明制御システムに関する。
【背景技術】
【０００２】
従来の照明器具は、例えば、光源が蛍光灯であれば、照射光のバリエーションとして白色光、昼白色光及び電球色光を発するものがあり、蛍光灯自体を取り替えなければ、照明光の色温度を変えることはできなかった。そのため、一般的な照明制御システムのコントローラにおける設定パラメータは、主として調光レベル（明るさ）であった。しかし、近年では、光源として発光色が異なる複数種のＬＥＤや有機ＥＬ素子等を用いた色温度可変型の照明器具が普及しており、照明光の色温度も設定パラメータとなり得る。
【０００３】
そこで、タッチパネル上に色度図を表示し、ユーザがこのタッチパネルを操作することにより、発光色が異なる複数のＬＥＤから成る光源の出力や輝度を制御できるようにしたユーザインタフェースが知られている（例えば、特許文献１参照）。
【先行技術文献】
【特許文献】
【０００４】
【特許文献１】特開２０１１−３５４２２号公報
【発明の概要】
【発明が解決しようとする課題】
【０００５】
しかしながら、上記特許文献１に記載されたユーザインターフェースのように、色度図を用いて色温度等を設定することは、照明光学等の専門知識のない一般ユーザにとって容易ではない。
【０００６】
本発明は、上記課題を解決するものであり、専門知識のない一般ユーザであっても、照明光の調光レベルや色温度を、簡易に直感的に設定することができる照明制御システムを提供することを目的とする。
【課題を解決するための手段】
【０００７】
上記課題を解決するために、本発明は、識別情報が付された照明器具と、前記照明器具の調光レベル及び照射光の色温度に関する点灯条件を設定するためのコントローラと、を備えた照明制御システムであって、前記コントローラは、前記照明器具の点灯条件を含む制御信号を無線通信により前記照明器具に向けて出力する無線通信部と、前記照明器具の識別情報と該照明器具の画像とを関連付けて記憶する記憶部と、前記照明器具の画像を表示する表示部と、前記表示部に表示される画像上をユーザが指定するためのタッチパネル部と、前記照明器具の画像を取得するための画像取得部と、を備え、前記無線通信部は、前記表示部に前記照明器具の画像が表示され、該画像上の前記タッチパネル部がタッチ操作されたとき、その操作パターンに基づいて前記画像と関連付けられた前記照明器具の点灯条件を設定するための制御信号を出力することを特徴とする。
【０００８】
上記照明制御システムにおいて、前記操作パターンが、前記タッチパネル部上にタッチされた１点が円を描くとき又は前記タッチパネル部上にタッチされた２点が近接若しくは離間するとき、前記無線通信部は、前記照明器具の調光レベル又は照射光の色温度を増減させるための制御信号を出力することが好ましい。
【０００９】
上記照明制御システムにおいて、前記照明器具を点灯制御するための調光信号を出力する調光装置を更に備え、前記調光装置は、前記コントローラの無線通信部から出力された前記制御信号を受信して、該制御信号に従って前記調光信号を出力することが好ましい。
【００１０】
上記照明制御システムにおいて、前記照明器具は、光源からの照射光を変調して該照射光に該照明器具の識別情報を重畳する変調部を更に備え、前記コントローラは、前記画像取得部が前記照射光を受信したとき、該照射光に重畳された前記識別情報を読み取ることが好ましい。
【００１１】
上記照明制御システムにおいて、前記照明器具は、前記コントローラの無線通信部から出力された前記制御信号を受信する無線通信部を更に備えることが好ましい。
【発明の効果】
【００１２】
本発明によれば、表示部に表示された照明器具の画像上をタッチ操作すれば、その画像に関連付けられた照明器具の点灯設定が行なわれるので、専門知識のない一般ユーザであっても、照明光の調光レベルや色温度を、簡易に直感的に設定することができる。
【図面の簡単な説明】
【００１３】
【図１】本発明の一実施形態に係る照明制御システムのブロック構成図。
【図２】同照明制御システムの構成図。
【図３】同照明制御システムのコントローラによる照明器具の登録操作を説明するための斜視図。
【図４】同コントローラにおける照明器具の登録画面を示す図。
【図５】同コントローラにおける照明器具の選択画面を示す図。
【図６】（ａ）（ｂ）は同コントローラにおける照明器具の点灯条件の設定操作画面を示す図。
【図７】上記実施形態の変形例に係る照明制御システムのブロック構成図。
【図８】同照明制御システムの構成図。
【図９】上記実施形態の変形例に係る照明制御システムのブロック構成図。
【図１０】同照明制御システムの構成図。
【発明を実施するための最良の形態】
【００１４】
本発明の第１の実施形態に係る照明制御システムについて、図１乃至図６を参照して説明する。図１に示すように、本実施形態の照明制御システム１は、所定の空間に配された複数の照明器具Ｌ１１〜Ｌ１ｎ（以下、総称して照明器具２という）と、各照明器具２の明るさ及び色温度といった点灯条件を設定するためのコントローラ３と、を備える。また、照明制御システム１は、コントローラ３によって設定された点灯条件に従って各照明器具２を点灯制御するための調光信号を出力する調光装置４を備える。この照明制御システム１は、例えば、一般住宅や店舗等に好適に用いられる。
【００１５】
図２に示すように、コントローラ３は、調光装置４との間で制御信号を無線通信により出力する無線通信部３１と、時刻を計時する計時部３２と、後述する照明器具２の画像（静止画）等を記憶する記憶部３３と、無線通信部３１等を動作させる制御部３４と、を備える。上記制御信号には、照明器具１の点灯条件の設定情報が含まれる。また、コントローラ３は、照明器具２の静止画等を表示する表示部３５と、表示部３５に表示される静止画をユーザが指定するためのタッチパネル部３６と、を備える。表示部３５は、制御部３４の指示を受けて表示ドライバ部３７によって駆動される。更に、コントローラ３は、照明器具２の静止画を撮影する等により照明器具２の画像を取得するための画像取得部３８を備える。
【００１６】
コントローラ３は、屋内の任意の場所に持ち運び自在の端末であり、照明器具２と有線接続された調光装置４との間で無線通信により上記制御信号を伝送する。好ましくは、コントローラ３として、専用のソフトウェアをインストールしたタブレット端末又はスマートフォン等の多機能携帯端末が用いられるが、照明制御システム１の専用端末であってもよい。コントローラ３は、外部電源から所要電力を得る制御電源部及び所定容量のバッテリー（いずれも不図示）を備える。
【００１７】
無線通信部３１は、制御部３４の指示を受けて、後述する手順によって設定された照明器具２の点灯条件に従って、調光装置４（照明器具２）に向けて所定の制御信号を出力する。無線通信には、ＮＦＣ／ＦｅｌｉＣａ，ＩｒＤＡ（赤外線）、無線ＬＡＮ（ＷｉＦｉ）等が用いられる。計時部３２には、汎用のクロック素子が用いられ、２４時間スケジュール制御を行なうための現在時刻を計時する。記憶部３３には、ＥＥＰＲＯＭ等の不揮発性記憶素子が用いられる、又は制御部３４に用いられるマイコン（例えば、ワンチップマイコン）に内蔵のものが用いられる。この記憶部３３は、後述する手順によって撮影された照明器具２の静止画を、照明器具２に付された識別情報と関連付けて記憶する。制御部３４には、汎用のマイクロコンピュータ（ＣＰＵ）が用いられる。表示部３５には、ＬＥＤ等のバックライトを備えた液晶ディスプレイ、又は有機ＥＬディスプレイ等が用いられる。表示ドライバ部３７は、記憶部３３に記憶された静止画をアイコン化して表示部３５に表示させる。タッチパネル部３６は、抵抗膜方式又は静電方式等により、表示部３５上に接触するユーザの指先の位置を検出する。
【００１８】
調光装置４は、コントローラ３の無線通信部３１と無線通信を行なう無線通信部４１と、所定の調光信号を照明器具２へ出力する調光信号出力部４２と、照明器具２の識別情報等を記憶する記憶部４３と、調光信号出力部４２等を動作させる制御部４４と、を備える。調光信号出力部４２は、無線通信部３１から受信した制御信号に従って所定の調光信号を出力する。調光信号としては、デジタル調光信号（ＤＡＬＩ、ＤＭＸ等）やＰＷＭ信号等が用いられる。また、調光装置４は、コントローラ３を用いることなく点灯制御するための操作部４５を備える。この操作部４５は、コントローラ３のタッチパネル部３６と同様のものであってもよいし、フェーダ又はボリュームスイッチ等であってもよく、また、調光装置４と一体てあっても、別体であってもよい。無線通信部４１、記憶部４３及び制御部４４は、コントローラ３のものと同様である。
【００１９】
照明器具２は、照明負荷２１と、調光装置４の調光信号出力部４２からの調光信号を受信する調光信号受信部２２と、照明負荷２１を点灯させる所要電力を供給する点灯回路部２３と、これらを駆動する制御部２４と、を備える。また、照明器具２は、商用電源を点灯回路部２３で用いられる所定の電流に変換変圧する電源部（不図示）を備える。照明負荷２１は、発光色が異なる複数種のＬＥＤや有機ＥＬ素子等を組み合わせることにより、照射光の色温度が可変となるように構成される。点灯回路部２３は、制御部２４の指示を受けて照明負荷２１に所定の電流を供給するためのスイッチ回路及び変圧回路等を備える。制御部２４は、汎用の照明制御用マイコン及びメモリ等から構成され、当該照明器具２の識別情報を記憶し、その照明制御システム１内における識別番号（ＩＤアドレス）を設定するためのアドレス設定部２５を有する。このアドレス設定部２５は、直接入力又は外部から専用回線を介してその照明器具２固有のＩＤアドレスを入力するための操作機又はコネクタ等から構成される。
【００２０】
次に、コントローラ３による照明器具２の登録操作を参照して説明する。まず、ユーザは、事前に室内の全照明器具２の識別番号（ＩＤアドレス）を、互いに重複しないように設定する。この設定は、照明器具２の施工時に行なわれてもよい。そして、ユーザは、コントローラ３のメイン画面（不図示）から、照明器具２の登録画面を起動する。次に、システム内の全照明器具２を消灯して、所定のＩＤアドレスが設定された照明器具２のみを、調光装置４（図２参照）を操作して点灯させる。そして、図３に示すように、コントローラ３の画像取得部３８を駆動して、点灯した照明器具２の静止画を撮影する。続いて、ユーザは、図４に示すような登録画面から、撮影した照明器具２のＩＤアドレスを、タッチパネル部３６にポップアップされたソフトキーボード（不図示）等を用いて指でタッチ操作により入力する。このとき、ＩＤアドレスに加えて、静止画に映された照明器具２のニックネームと、対象となる照明器具２のグループを設定することができる。このようにして、一の照明器具２の静止画、ＩＤアドレス及びニックネームが関連付けられ、これらのデータがグループ単位で記憶部３３に記録される。上述した登録操作は、システム内の全照明器具２に対して行なわれる。
【００２１】
ユーザが、照明器具２の点灯条件を設定する際には、まず、記憶部３３から対象となる照明器具２のデータを読み出す。照明器具２のデータは、図５に示すように、グループ別のフォルダＦに格納され、フォルダＦには照明器具２の静止画がアイコン化して表示される。フォルダＦが多数有る場合、選択画面にはスクロールバーＳＢが表示される。また、一のフォルダＦ内に多数の照明器具２が登録されているときも同様である。ユーザは、図５に示したような、フォルダＦ及び照明器具２の選択画面が表示されたタッチパネル部３６をタッチ操作して、各フォルダＦをスクロールしながら選択し、対象となる照明器具２のアイコンＩをタッチする。そうすると、タッチされた照明器具２の静止画が拡大され、表示部３５は、図６（ａ）（ｂ）に示すような設定入力画面に切り替わる。
【００２２】
コントローラ３の無線通信部３１は、設定入力画面における照明器具２の静止画上のタッチパネル部３６がタッチ操作されたとき、その操作パターンに基づいて、その静止画と関連付けられた照明器具２の点灯条件を設定するための制御信号を出力する。操作パターンとしては、図６（ａ）に示すように、タッチパネル部３６上にタッチされた１点が円を描くとき操作、又は図６（ｂ）に示すように、タッチパネル部３６上にタッチされた２点が近接若しくは離間する操作がある。
【００２３】
例えば、図６（ａ）に示したように、タッチパネル部３６上にタッチされた１点が時計回りに円を描く操作パターンが入力されると、無線通信部３１は、照明器具２の調光レベルを上げるための制御信号を出力する。一方、反時計回りに円を描く操作パターンが入力されると、無線通信部３１は、照明器具２の調光レベルを下げるための制御信号を出力する。また、図６（ｂ）に示したように、タッチパネル部３６上にタッチされた２点が離間する操作パターンが入力されると、無線通信部３１は、照明器具２の照射光の色温度を上げるための制御信号を出力する。一方、２点が近接する操作パターンが入力されると、無線通信部３１は、照明器具２の照射光の色温度を下げるための制御信号を出力する。
【００２４】
調光装置４は、コントローラ３から無線信号により出力された上記制御信号を受信して、この制御信号に従って、静止画に対応する照明器具２を点灯制御するための調光信号を出力する。照明器具２の制御部２４は、調光信号受信部２２が上記調光信号を受信すると、この調光信号に基づいて点灯回路部２３を駆動させて照明負荷２１を点灯させる。
【００２５】
この構成によれば、ユーザは、表示部３５に表示された照明器具２の静止画上を、いわゆるマルチタッチ操作することで、照明器具２の調光レベルや照明光の色温度といった点灯条件を設定することができる。従って、専門知識のない一般ユーザであっても、照明光の調光レベルや色温度を、簡易に直感的に設定することができる。
【００２６】
次に、上記実施形態の変形例に係る照明制御システムについて、図７及び図８を参照して説明する。本変形例に係る照明制御システム１においては、照明器具２は、光源（照明負荷２１）からの照射光を変調して、照射光に照明器具２の識別情報（ＩＤアドレス）を重畳する変調部２６を更に備えるものである。また、コントローラ３は、画像取得部３８が照射光を受信したとき、この照明光に重畳された照明器具２の識別情報を読み出す。つまり、本変形例の照明器具２は、可視光通信により、コントローラ３に照明器具２の識別情報を伝送することができる。
【００２７】
本変形例では、まず、ユーザがコントローラ３を用いて、照明器具２の登録画面を起動すると、コントローラ３の無線通信部３１は、調光装置４に対してアドレス要求信号を送信する。調光装置４は、アドレス要求信号を受信すると、各照明器具２に対して、夫々の照明器具２が、一定期間、自己のＩＤアドレスを照射光に重畳するように、調光信号を出力する。そして、ユーザが、画像取得部３８を用いて、登録対象の照明器具２を撮影すると、照明器具２の静止画が撮影されると同時に、その照明器具２のＩＤアドレスがコントローラ３に読み取られる。こうすれば、ユーザが、登録対象の照明器具２のＩＤアドレスを知らない状態でも、照明器具２の静止画の撮影と同時に、照明器具２のＩＤアドレスがコントローラ３に自動的に入力され、照明器具２の登録操作を容易にすることができる。
【００２８】
また、この変形例によれば、照明器具２の撮影毎にＩＤアドレスが自動入力されるので、一のＩＤアドレスが付された照明器具２に対して、調光レベルや色温度が夫々異なる点灯状態で撮影した複数の静止画を登録することが容易になる。そこで、例えば、これら複数の静止画からプロファイルデータを作成し、このプロファイルデータに基づいて、表示部３５上で、照明器具２のシーン再生を模擬的に行なうことができる。また、シーン再生と、計時部３２によって計時される時刻データとを関連付けることで、コントローラ３を用いて、シーン再生のスケジューリングを行なうこともできる。
【００２９】
次に、上記実施形態の別の変形例に係る照明制御システムについて、図９及び図１０を参照して説明する。本変形例に係る照明制御システム１においては、照明器具２内に調光装置４ａが内蔵されており、この調光装置４ａに、コントローラ３の無線通信部３１から出力された制御信号を受信する無線通信部２７が備えられるものである。
【００３０】
この変形例によれば、上記実施形態における調光装置４を用いることなく、照明器具２とコントローラ３だけでシステムが構築される。従って、既存の照明器具が既に施工されていて、後付される比較的少数の照明器具にだけ上述した機能を付与したいときに好適であり、本システムを導入を容易にすることができる。また、各照明器具２の無線通信部２７同士で、通信信号を送受信することで、配線等を別途に施工することなく、各照明器具２を連度して点灯させることができる。
【００３１】
なお、本発明は上記実施形態の構成に限られず、種々の変形が可能である。例えば、上記実施形態において、画像取得部３８は、照明器具２の静止画を撮像するものとして説明したが、フラッシュメモリ等を用いた種々の情報輸送端末を介して、照明器具２のイラストや３Ｄ−ＣＡＤ画像を用いることもできる。また、調光装置４又は照明器具２から、コントローラ３に対して、照明器具２の調光可変範囲や、色温度可変範囲、消費電力等のデータを送信し、コントローラ３は、図６（ａ）（ｂ）に示した設定入力画面に、これらの数値を表示してもよい。また、上述した照明器具２のプロファイルデータとして、調光範囲、色温度、範囲、消費電力等を登録し、ユーザが過去の使用実績を確認できるようにする、又はシーン再生のスケジューリングの際に参照できるようにしてもよい。
【符号の説明】
【００３２】
１    照明制御システム
２    照明器具
２６    変調部
２７    無線通信部
３    コントローラ
３１    無線通信部
３３    記憶部
３６    タッチパネル部
３８    画像取得部
４    調光装置
４ａ    調光装置
【図１】
2014044916.tif 000003
【図２】
2014044916.tif 000004
【図３】
2014044916.tif 000005
【図４】
2014044916.tif 000006
【図５】
2014044916.tif 000007
【図６】
2014044916.tif 000008
【図７】
2014044916.tif 000009
【図８】
2014044916.tif 000010
【図９】
2014044916.tif 000011
【図１０】
2014044916.tif 000012